(57)【特許請求の範囲】
【請求項１】
カム係止部を有し、第１の面内で回動自在なカム部材と、
ロック係止部を有し、前記カム部材の第１の回転方向への回動に伴い前記カム部材に押圧されて、実質的に前記第１の面内で前記カム部材に従動し、前記カム部材が前記第１の面内における所定の位置に達した場合に、前記ロック係止部が前記カム係止部を係止することにより、前記第１の回転方向と反対の方向である第２の回転方向への前記カム部材の回動を制限し、かつ、前記第１の面と垂直な方向に移動して前記ロック係止部が前記カム係止部の係止を解除することにより、前記カム部材の前記第２の回転方向への回動の制限を解放するロック部材と、
前記カム部材の前記第２の回転方向への回動を制限する方向へ、前記ロック部材を前記カム部材に付勢する第１のバネと
を備えるカム装置。
【請求項２】
前記カム部材を前記第２の回転方向へ付勢する第２のバネをさらに備え、
前記ロック部材は、前記カム部材が前記第１の面内における所定の位置に達した場合に、前記第２のバネの付勢による前記カム部材の前記第２の回転方向への回動を制限する請求項１に記載のカム装置。
【請求項３】
前記垂直な方向と反対の方向へ、前記ロック部材を付勢する第３のバネをさらに備える請求項２に記載のカム装置。
【請求項４】
前記第１のバネと前記第３のバネは、トーションバネとして一体に形成されており、
前記トーションバネの一端は、前記ロック部材を前記第１の面内方向に付勢し、
前記トーションバネの他端は、前記ロック部材を前記垂直な方向と反対の方向に付勢する請求項３に記載のカム装置。
【請求項５】
前記カム部材の前記第２の回転方向への回動の制限が解放された状態で、前記第１の方向へ前記カム部材が回動したときに、
前記ロック部材は、前記第１の面内において、前記第１のバネによる付勢の方向と反対の方向へ従動する請求項２乃至請求項４のいずれかに記載のカム装置。
【請求項６】
前記ロック部材及び前記カム部材を、それぞれ回動自在に保持する第１及び第２の軸をさらに備え、
前記第１のバネは、前記第１の軸を中心として前記ロック部材を付勢し、
前記第２のバネは、前記第２の軸を中心として前記カム部材を前記第２の回転方向へ付勢する請求項２乃至請求項５のいずれかに記載のカム装置。
【請求項７】
前記ロック部材は、前記第１の軸を貫通させる貫通孔をさらに有し、
前記ロック部材の少なくとも一部を前記第１の面と垂直な方向へ移動させるために十分な大きさの隙間が前記ロック部材と前記第１の軸との間に設けられている請求項６に記載のカム装置。
【請求項８】
前記第１の軸に固定されたカラーをさらに備え、
前記カラーは、前記貫通孔の直径よりも大きな径の周辺部を有し、
前記貫通孔は、前記カラーによって前記第１の面と垂直な方向の移動を制限される請求項７に記載のカム装置。
【請求項９】
前記ロック部材は、前記第１の面に平行に設けられた平面状の誘導部を有し、
前記ロック部材は、前記誘導部によって前記ロック部材が従動する軌跡に誘導される請求項２乃至請求項８のいずれかに記載のカム装置。
【請求項１０】
前記カム部材の前記ロック部材との接触部及び前記ロック部材の前記カム部材との接触部の少なくとも一方に前記第１の面と垂直に凸をなす凸部が設けられている請求項２乃至請求項９のいずれかに記載のカム装置。
【請求項１１】
前記カム部材が前記第１の面内における所定の位置に達した場合に、前記ロック係止部が前記第１のバネによって付勢されている方向に移動して前記ロック係止部が前記カム係止部を係止することにより、前記カム部材の前記第２の回転方向への回動を制限する請求項２乃至請求項１０のいずれかに記載のカム装置。
【請求項１２】
前記ロック係止部が、前記第１のバネに付勢されて前記カム部材の前記第２の回転方向への回動を制限する場合において、前記カム部材は、前記第２のバネによって付勢される方向と反対の方向へ前記ロック係止部によって押圧され、前記ロック部材に従動する請求項１１に記載のカム装置。
【請求項１３】
前記カム部材の回動の範囲は、前記回動の制限を解放されたときの前記第１の面内における当該カム部材の位置と、前記ロック係止部が前記カム係止部を係止するときの当該カム部材の位置との間に制限されている請求項２乃至請求項１２のいずれかに記載のカム装置。
【請求項１４】
当該カム装置の製造過程において、前記第２のバネが前記カム部材を付勢した状態に前記第２のバネをチャージして保持するバネ保持部をさらに備える請求項２乃至請求項１３のいずれかに記載のカム装置。
【請求項１５】
画像を撮影するカメラであって、
請求項１乃至請求項１４のいずれかに記載のカム装置と、
前記ロック部材を前記第１の面と垂直な方向に移動させ、前記カム部材の前記第２の回転方向への回動の制限を解放するロック解除ボタンと、
前記ロック解除ボタンが押下されると、前記カム部材に連動してカメラ本体から突出するフラッシュ部と
を備えるカメラ。
【発明の詳細な説明】
【０００１】
【発明の属する技術分野】
本発明は、カム装置に関する。特に本発明は、平面状のカム部材と平面状のロック部材を有するカム装置に関する。
【０００２】
【従来の技術】
従来のカメラには、一般にポップアップ機構によって本体から突出するフラッシュ装置が設けられている。例えば特公平４−１７４０２号公報（公告日平成４年３月２５日）は、回動レバーの回動動作によってフラッシュ部が収納位置と突出位置の間を移動するポップアップ装置を開示している。
【０００３】
【発明が解決しようとする課題】
しかし、フラッシュ装置の収納位置と突出位置の間の移動にポップアップ機構を採用すると、フラッシュ装置を収納したときにフラッシュ装置と本体の間に隙間が生じる場合が多い。また、ポップアップ機構を実現するために様々な構成が採用されているが、カメラの小型化に伴い、さらに小型化したポップアップ機構の構成が望まれている。
【０００４】
そこで本発明は、上記の課題を解決することのできるカム装置を提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、カム装置であって、第１の面内で運動するカム部材と、前記カム部材の運動に伴い前記カム部材に押圧されて、実質的に前記第１の面内で従動すると共に、前記カム部材が所定の位置に達した場合に、前記カム部材の運動を制限し、前記第１の面と垂直な方向に移動することにより前記カム部材の前記運動の制限を解放するロック部材と、前記カム部材の運動を制限する方向へ、前記ロック部材を付勢する第１のバネとを備える。
【０００６】
前記カム部材を付勢する第２のバネをさらに備えてもよい。前記ロック部材は、前記カム部材が所定の位置に達した場合に、前記第２のバネの付勢による前記カム部材の運動を制限してもよい。前記垂直な方向と反対の方向へ、前記ロック部材を付勢する第３のバネをさらに備えてもよい。
【０００７】
前記第１のバネと前記第３のバネは、トーションバネとして一体に形成されていてもよい。前記トーションバネの一端は、前記ロック部材を前記第１の面内方向に付勢してもよく、前記トーションバネの他端は、前記ロック部材を前記垂直な方向と反対の方向に付勢してもよい。
【０００８】
前記カム部材の運動の制限が解放された状態で、前記第２のバネによる付勢の方向と反対の方向へ前記カム部材が運動したときに、前記ロック部材は、前記第１の面内において、前記第１のバネによる付勢の方向と反対の方向へ従動してもよい。
【０００９】
前記ロック部材及び前記カム部材を、それぞれ回動自在に保持する第１及び第２の軸をさらに備えてもよい。前記第１のバネは、前記第１の軸を中心として前記ロック部材を第１の回転方向へ付勢してもよく、前記第２のバネは、前記第２の軸を中心として前記カム部材を前記第２の回転方向へ付勢してもよい。
【００１０】
前記ロック部材は、前記第１の軸を貫通させる貫通孔を有してもよい。前記ロック部材の少なくとも一部を前記軸方向へ移動させるために十分な大きさの隙間が前記ロック部材と前記第１の軸との間に設けられていてもよい。
【００１１】
前記第１の軸に固定されたカラーをさらに備えてもよい。前記カラーは、前記貫通孔の直径よりも大きな径の周辺部を有してもよい。前記貫通孔は、前記カラーによって前記軸方向の移動を制限されてもよい。
【００１２】
前記ロック部材は、前記第１の面に平行に設けられた平面状の誘導部をさらに有してもよく、前記ロック部材は、前記誘導部によって前記ロック部材が従動する軌跡に誘導されてもよい。
【００１３】
前記カム部材の前記ロック部材との接触部及び前記ロック部材の前記カム部材との接触部の少なくとも一方に前記第１の面と垂直に凸をなす凸部が設けられていてもよい。
【００１４】
前記ロック部材は、前記カム部材と係止すべき係止部をさらに有してもよく、前記カム部材が所定の位置に達した場合に、前記係止部が前記第１のバネによって付勢されている方向に移動することにより、前記カム部材の移動を制限してもよい。
【００１５】
前記係止部が、前記第１のバネに付勢されて前記カム部材の運動を制限する場合において、前記カム部材は、前記第２のバネによって付勢されている方向と反対の方向へ前記係止部によって押圧され、前記ロック部材に従動してもよい。
【００１６】
前記カム部材の運動の範囲は、前記運動の制限が解放されたときの当該カム部材の位置と前記ロック部材と係止するときの当該カム部材の位置との間に制限されてもよい。
【００１７】
当該カム装置の製造過程において、前記第２のバネが前記カム部材を付勢した状態に前記第２のバネをチャージして保持するバネ保持部をさらに備えてもよい。
【００１８】
本発明の第２の形態によると、画像を撮影するカメラであって、第１の面内で運動するカム部材と、前記カム部材の運動に伴い前記カム部材に押圧されて、実質的に前記第１の面内で従動すると共に、前記カム部材が所定の位置に達した場合に、前記カム部材の運動を制限するロック部材と、前記ロック部材を前記第１の面と垂直な方向に移動させ、前記カム部材の前記運動の制限を解放するロック解除ボタンと、前記ロック解除ボタンが押下されると、前記カム部材に連動してカメラ本体から突出するフラッシュ部とを備える。
【００１９】
なお上記の発明の概要は、本発明の必要な特徴の全てを列挙したものではなく、これらの特徴群のサブコンビネーションも又発明となりうる。
【００２０】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００２１】
なお、以下に用いるロック回転バネ及びカム回転バネは、それぞれ特許請求の範囲における「トーションバネ」及び「第２のバネ」を示す。また、以下に用いるロック回転バネの回転方向付勢部及び軸方向付勢部は、それぞれ特許請求の範囲における「トーションバネの一端」及び「トーションバネの他端」を示す。
【００２２】
図１は、デジタルカメラ１０の平面図である。（Ａ）は上面図、（Ｂ）は正面図、（Ｃ）は右側面図である。デジタルカメラ１０は、フラッシュ部２００、フラッシュ部２００を収納する収納部１００、及びロック解除ボタン２５０を有する。フラッシュ部２００は、収納部１００に収納された収納位置２２０とデジタルカメラ１０本体から突出して使用可能となる突出位置２１０との間を移動可能に設けられている。ユーザによって、フラッシュボタン２５０が押下されると、フラッシュ部２００は、収納位置２２０から突出位置２１０へ突出する。このフラッシュ部２００の移動は、本実施の形態に特徴的なカム装置３００のポップアップ機構によって実現される。
【００２３】
図２は、フラッシュ部２００が収納位置２２０に位置するときの、フラッシュ部２００及び収納部１００の右側面及びこれらに装着されたカム装置３００を示す。収納部１００は、バネ掛け１０２，１０４、及びロック制限部１０６を備える。カム装置３００は、カム部材２０、カム回転軸８０、及びロック部材４０を備える。
【００２４】
カム回転軸８０は、カム部材２０及び、フラッシュ部２００を回動自在に保持する。フラッシュ部２００は、カム回転軸８０を介してカム部材２０と連結され、カム部材２０の移動に伴ってカム部材２０と同方向へ連動する。カム部材２０とロック部材４０は係止している。これによって、フラッシュ部２００は収納位置２２０に保持される。ロック回転バネ７０は、バネ掛け１０２、１０４によって収納部１００に保持されている。ロック制限部１０６は、ロック部材４０に凸状に設けられた回転制御部５２を掛止する。カム装置３００の詳細な構成及び動作については、図４以降で詳述する。
【００２５】
図３は、フラッシュ部２００が突出位置２１０に位置するときのフラッシュ部２００、収納部１００、及びこれらに装着されたカム装置３００の斜視図である。カム部材２０とロック部材４０との係止は解除され、フラッシュ部２００は、カム回転軸８０と中心とした時計方向の付勢力によって、突出位置２１０に突出する。
【００２６】
図４は、フラッシュ部２００が収納位置２２０にあるときのカム装置３００を示す。カム装置３００は、カム部材２０、カム回転バネ６０、カム回転軸８０、ロック部材４０、ロック回転バネ７０、及びロック回転軸８２を備える。
【００２７】
カム部材２０は、カム回転軸８０を貫通させるカム貫通孔２２及びロック部材４０と係止すべきカム係止部２６を有する。ロック部材４０は、ロック回転軸８２を貫通させるロック貫通孔４２、カム部材２０と係止すべきロック係止部４６、ロック回転バネ７０を掛ける回転方向バネ掛部４８、軸方向バネ掛部５０、及びロック制限部１０６に掛止する回転制御部５２を有する。ロック回転バネ７０は、トーションバネであって、その一端にロック部材４０を回転方向に付勢する回転方向付勢部７２を有し、他端にロック部材４０を軸方向に付勢する軸方向付勢部７４を有する。
【００２８】
カム回転軸８０は、カム貫通孔２２を貫通してカム部材２０を回動自在に保持する。カム回転バネ６０は、カム回転軸８０に嵌められ、カム回転軸８０を中心としてカム部材２０を時計回りの方向へ付勢する。ロック回転軸８２は、ロック貫通孔４２を貫通してロック部材４０を回動自在に保持する。ロック回転バネ７０の一端の回転方向付勢部７２は、回転方向バネ掛部４８に掛止し、ロック部材４０をロック回転軸８２を中心とする時計回りの方向へ付勢する。ロック回転バネ７０の他端の軸方向付勢部７４は、軸方向バネ掛部５０に掛止して、軸方向バネ掛部５０をロック回転軸８２に垂直な方向へ付勢する。さらに、回転制御部５２が収納部１００のロック制限部１０６に掛止されることによって、ロック部材４０は、時計方向への移動を制限される。
【００２９】
カム回転バネ６０及び回転方向付勢部７２は、回転方向付勢部７２がロック部材４０を付勢する力が、カム回転バネ６０がカム部材２０を付勢する力よりも大きくなるように設計されている。従って、ロック係止部４６は、カム係止部２６をカム回転バネ６０からの付勢の方向と反対の方向、すなわち時計回りの方向へ付勢し、カム係止部２６はロック係止部４６に従動する。回転制御部５２がロック制限部１０６と掛止すると、ロック部材４０の時計回りの方向への移動は停止し、カム係止部２６とロック係止部４６とは係止する。カム係止部２６とロック係止部４６は、これらが係止するのに十分な幅を有する。
【００３０】
他の形態としては、カム係止部２６は、ロック係止部４６と係止するのに十分な幅よりも厚く設けられてもよい。これによって、軸方向バネ掛部５０が付勢された状態でも、カム係止部２６とロック係止部４６は安定して係止することができる。また、ロック係止部４６が、カム係止部２６と係止するのに十分な幅よりも厚く設けられてもよい。さらにまた、カム係止部２６とロック係止部４６が幅が厚く設けられてもよい。
【００３１】
図５は、フラッシュ部２００が突出位置２１０から収納位置２２０へ移動する途中のカム部材２０とロック部材４０の状態をロック回転軸８２の軸方向に対して垂直な横方向から見た図である。カム部材２０は、フラッシュ部２００が突出位置２１０から収納位置２２０へ移動するときにロック部材４０と係合するカム係合部２４、ロック部材４０を誘導する誘導部２８、及びロック部材４０が摺動する凸部３０を有する。ロック部材４０は、カム係合部２４と係合するロック係合部４４を有する。
【００３２】
ロック回転軸８２は、ロック貫通孔４２を貫通し、さらにカラー９０と嵌合する。ロック貫通孔４２とロック回転軸８２の間には、軸方向バネ掛部５０がロック回転軸８２の軸方向へ付勢されたときにカム部材２０側に傾斜するのに十分な大きさの隙間が設けられている。つまり、ロック貫通孔４２は、ロック回転軸８２に緩く保持されている。これによって、ロック係合部４４は、カム部材２０側に傾斜し、カム係合部２４と係合することができる。
【００３３】
ロック回転軸８２に嵌合したカラー９０のカム部材２０側の一端の周辺部９２は、ロック貫通孔４２の直径よりも大きな径を有する。これによって、ロック部材４０が、ロック回転軸８２から外れるのを防ぐことができる。
【００３４】
このとき、ロック係合部４４は、誘導部２８によって従動する軌跡に誘導される。従って、カム係合部２４とロック係合部４４とは、係合が外れることなく、安定した位置で係合することができる。また、ロック部材４０が、凸部３０を摺動するときのロック部材４０と凸部３０の摩擦抵抗は、ロック部材４０と誘導部２８の摩擦抵抗に比べて小さい。このように、凸部３０を設けることによって、ロック部材４０は、より少ないトルクで従動することができる。
【００３５】
図６は、フラッシュ部２００の収納位置２２０と突出位置２１０との間の移動に伴うカム部材２０とロック部材４０の動きを示す図である。図６（Ａ）は、フラッシュ部２００が突出位置２１０に位置するときのカム部材２０とロック部材４０を示す。図６（Ａ）においては、カム係止部２６とロック係止部４６との係止は解除されている。カム係止部２６は、カム回転バネ６０からの付勢によって、ロック係止部４６よりも上側に位置し、ロック部材４０は、ロック係合部４４をカム係合部２４と係合して静止する。
【００３６】
図６（Ｂ）は、フラッシュ部２００が押下されて、突出位置２１０から収納位置２２０へ移動する途中のカム部材２０とロック部材４０を示す。フラッシュ部２００が収納位置２２０側に押下されると、カム部材２０は、カム回転バネ６０による付勢力に抗して反時計回りに回動する。このとき、カム係合部２４は、ロック係合部４４を時計回りの方向へ付勢する。ロック部材４０は、回転方向付勢部７２からの付勢に抗して、反時計回りの方向に従動する。
【００３７】
図６（Ｃ）は、ロック部材４０がカム部材２０に従動し、カム係合部２４の先端のカム係止開始部３６とロック係合部４４の先端のロック係止開始部５８が係合する位置に達したときのカム部材２０とロック部材４０を示す。この位置を境に、カム部材２０及びロック部材４０の移動の方向は反転する。回転方向付勢部７２は、ロック係止開始部５８を介してカム係止開始部３６を反時計回りの方向へ付勢する。これによって、カム係止部２６とロック係止部４６とが係合する。ロック部材４０は、さらに時計回りに回動し、これに伴って、カム係止部２６は反時計回りに従動する。
【００３８】
図６（Ｄ）は、フラッシュ部２００が収納位置２２０に位置するときのカム部材２０とロック部材４０を示す。ロック部材４０は、回転制御部５２がロック制限部１０６に掛止すると時計回りの回動を制限され、カム係止部２６とロック係止部４６とは係止する。これによって、フラッシュ部２００は、収納位置２２０に静止することができる。
【００３９】
この状態で、ユーザによってロック解除ボタン２５０が押下されると、軸方向バネ掛部５０の裏側が収納部１００（図５）の方向に押下される。次に、ロック係止部４６は、軸方向付勢部７４からの付勢力に抗して収納部１００側に移動し、カム係止部２６との係止が解除される。カム部材２０は、カム回転バネ６０からの付勢により時計回りに回動する。これによって、フラッシュ部２００は、収納位置２２０から突出位置２１０へ突出し、カム部材２０とロック部材４０は、図６（Ａ）の状態になる。
【００４０】
図７は、図６に記載したカム部材２０とロック部材４０の動作を実現するカム部材２０及びロック部材４０の形状を示す。図７においては、カム係止開始部３６とロック係止開始部５８が係合している。このときカム係止開始部３６及びロック係止開始部５８の接点を通る直線１５０とロック回転軸８２及びロック係止開始部５８とを結ぶ直線１５４とがなす鋭角をα、カム係止開始部３６及びロック係止開始部５８の接点を通る直線１５０とカム回転軸８０及びカム係止開始部３６とを結ぶ直線１５２とがなす鋭角をβ、ロック係止開始部５８がカム係止開始部３６に与える力をＰ、カム部材２０が時計回りの方向に受ける力をＦとすると式（１）が成り立つ。（１）のλは、摩擦角で、摩擦係数μと式（１）の関係を有する。
【００４１】
【数１】
0004054154.tif 000002
式（１）においてＦが０よりも大きい場合、ロック係止開始部５８は、カム係止開始部３６を移動させるのに十分な付勢力を有し、Ｆが０以下の場合、ロック係止開始部５８はカム係止開始部３６を移動させるのに十分な付勢力を有さない。
【００４２】
本実施の形態のカム装置３００におけるカム回転バネ６０、ロック回転バネ７０の付勢力、及びカム回転軸８０とロック回転軸８２との相対位置は、式（１）におけるＦが０よりも大きな値をとるように決定されている。つまり、カム回転バネ６０、ロック回転バネ７０の付勢力、及びカム回転軸８０とロック回転軸８２との相対位置は、カム係合部２４とロック係合部４４が係合した状態でロック部材４０がカム部材２０に従動し、カム係止開始部３６とロック係止開始部５８が当接する点に達すると、カム部材２０がロック部材４０に従動する機構が実現するような関係に設計されていればよく、その自由度は大きい。
【００４３】
また、ロック係止部４６の曲率は、ロック回転軸８２よりも右側に円中心１６０を有する円周１６２に等しい。これによって、カム係止部２６は、ロック係止部４６に従動するときに常に反時計回りの方向に付勢される。従って、フラッシュ部２００を収納位置２２０に収納する場合に、フラッシュ部２００が収納位置２２０に達した後にわずかに突出位置２１０方向に戻るのを防ぐことができる。
【００４４】
図８は、カム装置３００によるフラッシュ部２００のポップアップの機構を示すフローチャートである。フラッシュ撮影を行う場合、ユーザは、フラッシュ部２００を収納位置２２０から突出位置２１０へ突出させるロック解除ボタン２５０を押下する（Ｓ１００）。デジタルカメラ１０は、フラッシュが必要な撮影条件下において、自動的にフラッシュ部２００を突出位置２１０へ突出させてもよい。次に、カム係止部２６とロック係止部４６との係止が解除されて、フラッシュ部２００が収納位置２２０から突出位置２１０へ突出する（Ｓ１０２）。以上でフラッシュ撮影の準備が完了する。ユーザは、フラッシュ撮影を行う（Ｓ１０４）。撮影が終了し、ユーザによってフラッシュ部２００が収納位置２２０方向に押下されると（Ｓ１０６）、カム係合部２４とロック係合部４４が係合し、フラッシュ部２００は、収納位置２２０まで押し下げられ、収納位置２２０に収納された状態でロックされる（Ｓ１０８）。以上で、カム装置３００の動作は終了する。
【００４５】
本実施の形態のカム装置３００と収納部１００及びフラッシュ部２００の組立の手順を説明する。
【００４６】
図９（Ａ）はカム回転バネ６０、図９（Ｂ）はカム回転バネ収納部１１２の斜視図である。カム回転バネ収納部１１２は、バネ孔１１４とカム回転バネ保持部１１６とを有し、バネ孔１１４にカム回転バネ６０の第１端６２を掛け、カム回転バネ６０をカム部材２０を付勢する状態にチャージして、カム回転バネ保持部１１６にカム回転バネ６０の第２端６４を掛ける。これによって、カム回転軸８０上にカム回転バネ６０を保持することができる。
【００４７】
図１０は、フラッシュ部２００の収納部１００への取り付けを示す。収納部１００は、カム回転バネ６０を掛けるカム回転バネ固定部１１０、カム回転軸８０を貫通させる第１軸孔１２０及び第２軸孔１２２を有する。カム回転バネ６０は、フラッシュ部２００のカム回転バネ収納部１１２に収納された状態で、カム回転バネ固定部１１０に保持される。このときカム回転バネ６０は、さらにカム部材２０を付勢する状態にチャージされる。これによって、カム回転バネ６０は、カム部材２０を付勢する状態つまり、フラッシュ部２００を突出位置２１０に回動させる方向にフラッシュ部２００を付勢することができる。次に、カム回転軸８０を、第１軸孔１２０、フラッシュ部２００の第３軸孔１２４、カム回転バネ６０、及び第２軸孔１２２に貫通させる。カム回転軸８０は、フラッシュ部２００を回動自在に保持する。
【００４８】
図１１は、フラッシュ部２００及び収納部１００に装着された状態のカム回転バネ６０を示す。第２端６４は、フラッシュ部２００が収納位置２２０にある場合、カム回転バネ保持部押さえ位置１３２に位置する。このとき、カム回転バネ６０は、最大にチャージされている。また、第２端６４がカム回転バネ保持部１１６に掛けられたとき、第２端６４は、ツメ押さえ位置１３０に位置する。自由位置１３４は、第２端６４がチャージしていない状態のときの第２端６４の位置を示す。このように、カム回転バネ６０は、第２端６４をカム回転バネ保持部押さえ位置１３２に保持されて、チャージされるので、フラッシュ部２００を収納位置２２０から突出位置２１０へ突出させる方向に付勢することができる。なお、フラッシュ部２００が突出位置２１０に突出する場合、第１端６２が回動する。
【００４９】
図１２は、ロック回転バネ７０を収納部１００に取り付けるときのロック回転バネ７０及び収納部１００を示す。ロック回転バネ７０のリング部分をバネ掛け１０２，１０４に掛ける。これによって、ロック回転バネ７０は、収納部１００に固定される。
【００５０】
図１３は、ロック部材４０を収納部１００に装着するときのロック部材４０とロック回転バネ７０を示す。軸方向付勢部７４を軸方向バネ掛部５０に掛け、ロック部材４０とカラー９０をロック回転軸８２に取り付ける。回転方向付勢部７２をチャージして回転方向バネ掛部４８に掛ける。以上で、カム装置３００と収納部１００及びフラッシュ部２００の組立が終了する。
【００５１】
図１４は、第２実施形態のデジタルカメラ１０を示す。本実施形態のデジタルカメラ１０は、ＬＣＤモニタ４００及びＬＣＤモニタ収納部４２０を備える。本実施の形態においては、フラッシュ部２００にかえてＬＣＤモニタ４００がカム装置３００のポップアップ機構によってデジタルカメラ１０から突出する。この点で、本実施の形態は、第１実施形態と異なる。
【００５２】
ＬＣＤモニタ４００は、通常デジタルカメラ１０本体に設けられたＬＣＤモニタ収納部４２０に収納されている。ＬＣＤモニタ４００の上端４１０には、第１実施形態におけるカム回転軸８０に相当する不図示の軸が設けられており、この軸にバネが嵌められている。このバネは、ＬＣＤモニタ４００を突出位置４３０に突出させる方向にＬＣＤモニタ４００を付勢する。ＬＣＤモニタ４００は、カム装置３００によって、ＬＣＤモニタ収納部４２０から突出位置４３０に突出する。ＬＣＤモニタ４００とＬＣＤモニタ収納部４２０とに装着されたカム装置３００の構成及び動作は第１実施形態において図２から図７を用いて説明したフラッシュ部２００と収納部１００とに装着されたカム装置３００の構成及び動作とほぼ同様であるので説明を省略する。
【００５３】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【００５４】
そうした第１の変更例としては、本実施の形態においては凸部３０は、誘導部２８に設けられていたが、凸部３０は、誘導部２８にかえてロック部材４０の表面５４の誘導部２８と接触すべき位置に表面５４に垂直に設けられていてもよい。
【００５５】
第２の変更例としては、本実施の形態においては、ロック部材４０は、軸方向バネ掛部５０を表面５４方向に付勢されることによって、ロック係合部４４側の端が他端に比べて表面５４側に傾いた状態で、カム係合部２４と係合していたが、ロック部材４０は、軸方向バネ掛部５０を表面５４に付勢されたときにロック部材４０全体が表面５４側に平行移動するようにロック回転軸８２に保持されてもよい。
【００５６】
第３の変更例としては、本実施の形態においては、ロック係止部４６は、ロック部材４０のロック回転軸８２よりも右側に中心を持った円周の曲率と等しい曲率に設けられていたが、カム係止部２６がロック係止部４６と係合したときに、カム部材２０は、ロック部材４０によって常に反時計回りの方向へ付勢される形状に設けられていればよく、設計の自由度は高い。
【００５７】
第４の変更例としては、本実施の形態においては、カム部材２０は、誘導部２８を有するが、これにかえて、カム部材２０は、カム係合部２４にロック係合部４４が嵌まる溝を有してもよい。この場合も、誘導部２８を有する場合と同様に、カム係合部２４とロック係合部４４は安定して係合することができる。また、誘導部２８と溝の両方を有してもよい。
【００５８】
【発明の効果】
本発明のカム装置によれば、バネによってロック部材がカム部材に付勢されるので、フラッシュ装置を収納したときにフラッシュ装置と本体との間の隙間を少なくすることができる。また、本発明のカム装置によれば、カム部材、ロック部材、及びバネだけで構成されているので、小型のポップアップ機構を提供することができる。
【図面の簡単な説明】
【図１】デジタルカメラ１０の平面図である。
【図２】フラッシュ部２００が収納位置２２０に位置するときの、フラッシュ部２００及び収納部１００の右側面及びこれらに装着されたカム装置３００を示す図である。
【図３】フラッシュ部２００が突出位置２１０に位置するときのフラッシュ部２００、収納部１００、及びこれらに装着されたカム装置３００の斜視図である。
【図４】フラッシュ部２００が収納位置２２０にあるときのカム装置３００を示す図である。
【図５】フラッシュ部２００が突出位置２１０から収納位置２２０へ移動する途中のカム部材２０とロック部材４０と状態をロック回転軸８２の軸方向に対してに垂直な横方向から見た図である。
【図６】フラッシュ部２００の収納位置２２０と突出位置２１０との間の移動に伴うカム部材２０とロック部材４０の動きを示す図である。
【図７】図６に記載したカム部材２０及びロック部材４０の動作を実現するカム部材２０及びロック部材４０の形状を示す図である。
【図８】カム装置３００によるフラッシュ部２００のポップアップ機構を示すフローチャートである。
【図９】カム回転バネ６０及びカム回転バネ収納部１１２の斜視図である。
【図１０】フラッシュ部２００の収納部１００への取り付けを示す図である。
【図１１】フラッシュ部２００及び収納部１００に装着された状態のカム回転バネ６０を示す図である。
【図１２】ロック回転バネ７０を収納部１００へ取り付けるときのロック回転バネ７０及び収納部１００を示す。
【図１３】ロック部材４０を収納部１００に装着するときのロック部材４０とロック回転バネ７０を示す図である。
【図１４】第２実施形態のデジタルカメラ１０を示す図である。
【符号の説明】
１０…デジタルカメラ    ２０…カム部材    ２２…カム貫通孔    ２４…カム係合部    ２６…カム係止部    ２８…誘導部    ３０…凸部    ３４…裏面  ３６…カム係止開始部    ４０…ロック部材    ４２…ロック貫通孔    ４４…ロック係合部    ４６…ロック係止部    ４８…回転方向バネ掛部    ５０…軸方向バネ掛部    ５２…回転制御部    ５８…カム係止開始部    ６０…カム回転バネ    ７０…ロック回転バネ    ７２…回転方向付勢部    ７４…軸方向付勢部    ８０…カム回転軸    ８２…ロック回転軸    ９０…カラー    １００…収納部    １０２…バネ掛け    １０４…バネ掛け    １０６…ロック制限部    １１０…カム回転バネ固定部    １１２…カム回転バネ収納部    １１４…バネ孔    １１６…カム回転バネ保持部    １２０…第１軸孔    １２２…第２軸孔      １２４…第３軸孔    １３０…ツメ押さえ位置    １３２…カム回転バネ保持部押さえ位置    １３４…自由位置    １５０…カム係止開始部３６とロック係止開始部５８の接点を通る直線    １５２…カム回転軸８０とカム係止開始部３６とを結ぶ直線    １５４…ロック回転軸８２とロック係止開始部５８とを結ぶ直線    ２００…フラッシュ部    ２１０…突出位置    ２２０…収納位置    ２５０…ロック解除ボタン    ３００…カム装置    ４００…ＬＣＤモニタ    ４２０…ＬＣＤモニタ収納部
【図１】
0004054154.tif 000003
【図２】
0004054154.tif 000004
【図３】
0004054154.tif 000005
【図４】
0004054154.tif 000006
【図５】
0004054154.tif 000007
【図６】
0004054154.tif 000008
【図７】
0004054154.tif 000009
【図８】
0004054154.tif 000010
【図９】
0004054154.tif 000011
【図１０】
0004054154.tif 000012
【図１１】
0004054154.tif 000013
【図１２】
0004054154.tif 000014
【図１３】
0004054154.tif 000015
【図１４】
0004054154.tif 000016